(57)【特許請求の範囲】
【請求項１】
前枠部１ｂの裏面に、該前枠部１ｂの下端部に固定される下方のセット枠１０と、該セット枠１０の上方に配設されて開口部内に遊技盤１２を取出し可能に嵌め込み得る枠体１１とを形成した合成樹脂製のベース枠９が固定され、このベース枠９の裏側に、賞品球払い出しユニット４５を取付けた裏枠４０が回動可能に組付けられ、前記賞品球払い出しユニット４５から払い出された賞品球を、上皿側へ次いで下皿側へ排出するようにしたパチンコ機において、
前記ベース枠９には、前記枠体１１の下枠部に、前記賞品球払い出しユニット４５から導入した前記賞品球を前記上皿側に向けて排出する前賞品球口２０が開口される一方、前記セット枠１０の裏面中央付近に、前記賞品球を受け入れて前記下皿側へ排出するとともに前記賞品球を貯留し得る球誘導室３２を区画形成し、この球誘導室３２内に賞品球の落下衝撃を緩衝して賞品球を下方へ転動落下するための緩衝板２７を傾斜姿勢で形成した球誘導ケース２６が一体的に形成されており、
前記裏枠４０には、前記枠体１１の前賞品球口２０の後開口面に対向して連絡する後賞品球口５７が開口される一方、前記裏枠４０の裏側外部に、単一の賞品球誘導排出部材として前面開放した箱形状に合成樹脂成形されて受け入れた前記賞品球を前記上皿側へ次いで前記下皿側へ誘導排出し得る賞品球誘導通路８０を区画形成した成形器体７０が着脱可能に装着されており、
前記成形器体７０には、前記裏枠４０の後賞品球口５７の後開口面に前後方向に対向状に連通する第１球出口７７Ａと、前記球誘導ケース２６の球誘導室３２の上開口面と対向する第２球出口７７Ｂとが開口されるとともに、前記賞品球誘導通路８０の上流部側に、ほぼ横Ｕ字状に連通されて前記賞品球払い出しユニット４５のケース体４６に形成された球払い出し流路４６ａの球出口４６ｂと前記第１球出口７７Ａとに連絡される上誘導路８０ａが形成され、かつ、前記賞品球誘導通路８０の下流部側に、前記第１球出口７７Ａと前記第２球出口７７Ｂとに連絡される下誘導路８０ｂが形成され、
しかも、前記成形器体７０の後壁板７１ａには、前記上誘導路８０ａの終端部および第１球出口７７Ａ付近の球詰り状態を前記成形器体７０の後方から監視する上部の監視孔８１と、前記下誘導路８０ｂの終端部および第２球出口７７Ｂ付近の球詰り状態を前記成形器体７０の後方から透視する下部の監視孔８２がそれぞれ貫設されており、
前記上部の監視孔８１は、前記賞品球誘導通路８０の上誘導路８０ａの下流端出口に臨む側方であって、かつ、前記第１球出口７７Ａの上部から前記裏枠４０の前記後賞品球口５７および前記枠体１の前記前賞品球口２０を覗き見得る部位に開口されていることを特徴とする、パチンコ機における賞品球誘導装置。
【発明の詳細な説明】
【０００１】
【産業上の利用分野】
この発明はパチンコ機において、遊技者に払い出される賞品球を誘導する賞品球誘導装置に関する。
【０００２】
【従来の技術】
従来技術としては例えば特開平５−２４５２５９号公報がある。この公報には景品球排出通路と余剰球排出通路とを機構板とは別体に形成した通路部材に連通させるようにし、前記通路部材を景品球排出通路および余剰球排出通路を後面部分を覆うカバーの内側面に取付け固定するようにしたパチンコ機の機構板が開示されている。
【０００３】
【発明が解決しようとする課題】
本発明は、賞品球群を誘導する賞品球誘導機構を簡略化するとともに、賞品球誘導通路内の賞品球を監視可能とし、賞品球誘導通路の保守管理を簡便化することを課題とするものである。
【０００４】
【課題を解決するための手段】
請求項１の装置は、前枠部の裏面に、該前枠部の下端部に固定される下方のセット枠と、該セット枠の上方に配設されて開口部内に遊技盤を取出し可能に嵌め込み得る枠体とを形成した合成樹脂製のベース枠が固定され、このベース枠の裏側に、賞品球払い出しユニットを取付けた裏枠が回動可能に組付けられ、前記賞品球払い出しユニットから払い出された賞品球を、上皿側へ次いで下皿側へ排出するようにしたパチンコ機において、
前記ベース枠には、前記枠体の下枠部に、前記賞品球払い出しユニットから導入した前記賞品球を前記上皿側に向けて排出する前賞品球口が開口される一方、前記セット枠の裏面中央付近に、前記賞品球を受け入れて前記下皿側へ排出するとともに前記賞品球を貯留し得る球誘導室を区画形成し、この球誘導室内に賞品球の落下衝撃を緩衝して賞品球を下方へ転動落下するための緩衝板を傾斜姿勢で形成した球誘導ケースが一体的に形成されており、
前記裏枠には、前記枠体の前賞品球口の後開口面に対向して連絡する後賞品球口が開口される一方、前記裏枠の裏側外部に、単一の賞品球誘導排出部材として前面開放した箱形状に合成樹脂成形されて受け入れた前記賞品球を前記上皿側へ次いで前記下皿側へ誘導排出し得る賞品球誘導通路を区画形成した成形器体が着脱可能に装着されており、
前記成形器体には、前記裏枠の後賞品球口の後開口面に前後方向に対向状に連通する第１球出口と、前記球誘導ケースの球誘導室の上開口面と対向する第２球出口とが開口されるとともに、前記賞品球誘導通路の上流部側に、ほぼ横Ｕ字状に連通されて前記賞品球払い出しユニットのケース体に形成された球払い出し流路の球出口と前記第１球出口とに連絡される上誘導路が形成され、かつ、前記賞品球誘導通路の下流部側に、前記第１球出口と前記第２球出口とに連絡される下誘導路が形成され、
しかも、前記成形器体の後壁板には、前記上誘導路の終端部および第１球出口付近の球詰り状態を前記成形器体の後方から監視する上部の監視孔と、前記下誘導路の終端部および第２球出口付近の球詰り状態を前記成形器体の後方から透視する下部の監視孔がそれぞれ貫設されており、
前記上部の監視孔は、前記賞品球誘導通路の上誘導路の下流端出口に臨む側方であって、かつ、前記第１球出口の上部から前記裏枠の前記後賞品球口および前記枠体の前記前賞品球口を覗き見得る部位に開口された構成を有する。
【０００５】
【０００６】
【作用】
請求項１の賞品球誘導装置では、賞品球払い出しユニットの作動毎に逐次払い出された賞品球が、裏枠の裏側外部に装着された成形器体の賞品球誘導通路を利用して、上皿側へ次いで下皿側へ排出される。すなわち、賞品球払い出しユニットの球払出し口から放出された賞品球は、成形器体の賞品球誘導通路の上誘導路内に導入されて、第１球出口から裏枠の後賞品球口、およびベース枠の枠体の前賞品球口を介して上皿側に向けて排出される。
このような賞品球排出状況において、賞品球が後賞品球口内まで貯留された以後は、同後賞品球口の後方側から第１球出口内に溢れ出る。そうして、第１球出口内に溢れ出た賞品球は、流通方向変換された状態で賞品球誘導通路の下誘導路内に誘導されて第２球出口から球誘導ケースの球誘導室内に導入される。そして、この導入過程で賞品球は、球誘導室内の緩衝板に一旦受止められてその落下衝撃を緩衝されて転落し、最終的には前記下皿側へ排出される。
上記のような賞品球誘導排出状況にあって、前記成形器体の第１球出口付近での球詰り状態および第２球出口付近での球詰り状態とを夫々の監視孔により成形器体の後方から透視し得る。
また、裏枠に成形器体が着脱自在に装着されるから、パチンコ機の長期使用のために成形器体の賞品球誘導通路が汚れた場合には、新たな成形器体が交換設置される。
【０００７】
【０００８】
【発明の効果】
請求項１賞品球誘導装置によれば、賞品球払い出しユニットの作動毎に逐次払い出された賞品球が、裏枠の裏側外部に装着された成形器体における賞品球誘導通路の上誘導路内から第１球出口に導出し、裏枠の後賞品球口、およびベース枠における枠体の前賞品球口を介して上皿側に向けて優先的に排出し得る。
また、後賞品球口内から第１球出口内に溢れ出た賞品球を、賞品球誘導通路の下誘導路内から第２球出口を介して球誘導ケースの球誘導室内に誘導し、緩衝板に一旦受止めてその落下衝撃を緩衝して最終的には前記下皿側へ排出することができる。これにより、賞品球の落下衝撃による球誘導ケースの破損等を防止することができる。
【０００９】
また、請求項１の賞品球誘導装置によれば、パチンコ機の長期使用のために成形器体の賞品球誘導通路が汚れた場合には、新たに成形器体を交換して設置することができるし、さらには、賞品球誘導通路の第１球出口付近や第２球出口付近における賞品球の球詰り状態を、夫々の監視孔により成形器体の後方から透視することができる。この結果、賞品球誘導通路の保守管理を大幅に簡易化することができる。
【００１０】
【００１１】
【００１２】
【実施例】
次に、本発明の１実施例を図面にしたがって説明する。パチンコ機の木枠１は定位置に立設される角筒状の後枠部１ａと、この後枠部１ａにヒンジによって前方への回動可能に結合されて後枠部１ａの前側に設置された方形枠状の前枠部１ｂとによって形成されている。
【００１３】
木枠１の前枠部１ｂの裏面には上部の第１部材と下部の第２部材とが分離可能に結合されて形成された合成樹脂製のベース枠９がビスによって固定されている。
【００１４】
ベース枠９にはその下端部に配設されて木枠１の前枠部１ｂの下端部裏面にビス止めされたセット板１０と、このセット板１０の上方に配設されて木枠１の前枠部１ｂの開口部とほぼ等しい形状の開口部が開口された枠体１１とが形成され、この枠体１１の開口部内には遊技盤１２が後方への取出し可能に嵌め込まれている。
【００１５】
枠体１１の下枠部には賞品球を上皿内へ導入する前賞品球口２０が開設されている。
【００１６】
ベース枠９のセット板１０の前面は遊技盤面１２ａにほぼ整合され、このセット板１０の前面には上皿内から送り出された遊技球を球発射起点となる基端部で受止めて発射球を遊技盤面１２ａへ案内する発射レール１５が先上り姿勢で固定され、また、セット板１０には発射レール１５上の遊技球を遊技盤面１２ａへ向けて発射させる発射機構が取付けられている。
【００１７】
セット板１０の前面の一端付近にはセット板１０に取付けられて効果音等を発するスピーカー１７が内部に収容された円筒状のスピーカー収容部２１が突設され、このスピーカー収容部２１の上面にはスピーカー１７上へ転落したこぼれ球を両側方の斜め下方へ誘導する球受け面２１ａが円弧面状に形成されている。
【００１８】
セット板１０の前側にはセット板１０に結合されてスピーカー１７の前面およびその両側方をカバーするスピーカーカバー樋１８が発射レール１５の側方に隣接して設置されている。
【００１９】
スピーカーカバー樋１８の内端付近には上面が発射レール１５側へ先下り状に傾斜したファール球誘導部１８ａが形成され、このファール球誘導部１８ａと発射レール１５の先端部との間には遊技盤面１２ａへ打出されて逆流したファール球が通り抜けるファール球通し口１９が形成されている。
【００２０】
セット板１０の前側には内方へ先下り状に傾斜した状態でスピーカー収納部２１の下方に設置されて球受け面２１ａに衝突して転落したこぼれ球を内方へ案内する第１こぼれ球誘導板２２と、内方へ先下り状に傾斜した状態で発射レール１５の下方に設置されて、こぼれ球を内方へ誘導する第２こぼれ球誘導板２３とが形成されている。
【００２１】
セット板１０の裏面にはその中央部付近に外方へ先下り状に傾斜した状態で設置されたアウト球誘導板２４と、このアウト球誘導板２４の外方に内方へ先下り状に傾斜した状態で間隙を隔てて設置された第３こぼれ球誘導板２５とが連接されている。
【００２２】
セット板１０の中央部付近には左右１対の垂直な側壁部２６ａと、この両側壁部２６ａの後端縁に直交状に連接された後壁部２６ｂと、両側壁部２６ａおよび後壁部２６ｂの下端縁に連接されて前下り状に傾斜した底壁部２６ｃとを有し、上端に開口部２６ｄが開設された球誘導ケース２６が一体状に形成されている。
【００２３】
球誘導ケース２６は遊技者に払い出される賞品球およびファール球を上方から受入れて前下方の下皿内へ送り出す目的で設置され、この球誘導ケース２６内には賞品球およびファール球が通過する球誘導室３２が後上端から前下端にわたって形成されている。
【００２４】
球誘導ケース２６の表面には後壁部２６ｂおよび底壁部２６ｃを補強する複数本の補強リブ２６ｅが後壁部２６ｂの後面と底壁部２６ｃの下面とにわたって並行状に突出形成されている。
【００２５】
球誘導ケース２６の内壁面の上下部にはこの球誘導ケース２６内へ落下したパチンコ球が衝突する落下点までの落差を縮小してパンコ球（賞品球）の落下衝撃を緩衝する目的で球誘導ケース２６内に互に逆方向へ先下り状に傾斜した姿勢で設置された上下１対の緩衝板２７，２７が連接されている。
【００２６】
上側の緩衝板２７の前部はファール球の落下衝撃が緩衝されるように下側の緩衝板２７の前方へ延出されている。
【００２７】
球誘導ケース２６内へ落下した賞品球は上側の緩衝板２７に衝突して上側の緩衝板２７を伝って転動してから、下側の緩衝板２７に衝突して下側の緩衝板２７を伝って転動し、さらに球誘導ケース２６の底壁部２６ｃ上へ転落するか、若しくは下側の緩衝板２７に衝突してから底壁部２６ｃ上へ転落し、球誘導ケース２６内へ落下した賞品球の落下衝撃が両緩衝板２７によって緩衝される。
【００２８】
球誘導ケース２６の後壁部２６ｂの中央部付近および下端には下側の緩衝板２７の先端縁の上方および下方にそれぞれ配設されて球誘導室３２を通行するパチンコ球およびその通行状態を監視する３個１組の賞品球透視孔３１がそれぞれ開設されている。
【００２９】
従って、球誘導ケース２６内の下部で球詰まりが発生したときにこの球詰まりを賞品球透視孔３１によって発見することができる。
【００３０】
球誘導ケース２６内の上部には球誘導ケース２６の後壁部２６ｂに連接されて前方へ突出された支軸３８によって左右方向への搖動可能に支持されて球誘導ケース２６内にパチンコ球が充満したときに搖動する満タン検出片３９が、上側の緩衝板２７によって覆われた状態で設置されている。
【００３１】
満タン検出片３９にはセット板１０の前面に取付けられた満タン検出スイッチ４７の触動片４７ａを満タン時に押上げる突片３９ａが突出形成されている。
【００３２】
セット板１０の裏面には上端縁が第３こぼれ球誘導板２５の先端縁に連接されて垂立された縦壁板１３と、上端縁がこの縦壁板１３の下端縁に連接されて内端縁が球誘導ケース２６に連接され、断面形状がＬ形状に曲折された樋板１４とが一体状に形成され、樋板１４の下片１４ａの上面には上面が後下り状に傾斜した複数個の突条１４ｂが並行状に凸設されている。
【００３３】
球誘導ケース２６と縦壁板１３との間には左右１対の側壁部２９ａと、この両側壁部２９ａの後端縁に連接された後壁部２９ｂと、後壁部２９ｂの下端縁に連接されて前方へ若干突出された底壁部２９ｃとを有し、セット板１０に取外し可能に係止されて球誘導ケース２６の側方で樋板１４上に設置された遊技球集合ケース２９が挟み込まれている。
【００３４】
遊技球集合ケース２９内にはセーフ球およびアウト球を集めてパチンコ機外へ誘導する遊技球排出通路３０が形成され、樋板１４と、遊技球集合ケース２９の下面と、球誘導ケース２６の側面との間には遊技球集合ケース９の下方に形成されて遊技球集合ケース２９内へ落入したアウト球およびセーフ球を後方へ誘導してパチンコ機外へ排出する遊技球排出口３３が開設されている。
【００３５】
アウト球誘導片２４の先端部から転がり落ちたアウト球および第３こぼれ球誘導板２５の先端部から転がり落ちたこぼれ球は遊技球集合ケース２９内へ落入し、遊技球排出口３３を通り抜けてパチンコ機外へ排出される。
【００３６】
遊技盤１２の下端付近にはアウト球が導入されるアウト口３６が開設され、遊技盤１２の裏面の下端にはアウト口３６から転がり落ちたアウト球をアウト球誘導板２４上へ誘導するアウト球誘導溝３７が凹設され、遊技盤１２の裏面１２ｂにはこの裏面１２ｂの各部を伝って転落するセーフ球が通行するセーフ球流路３５が形成されている。
【００３７】
ベース枠９に取外し可能で後方への回動可能に結合されてベース枠９の枠体１１および遊技盤１２の後側に設置された合成樹脂製の裏枠４０には上枠部と、下枠部と左右の側枠部とが形成されている。
【００３８】
裏枠４０の一方の側枠部の裏面には賞品球の払い出しを制御する縦長状の賞品球払い出しユニット４５が取外し可能に取付けられている。
【００３９】
裏枠４０の下枠部には遊技盤１２の裏面１２ｂに押し当てられた状態で垂立された前路壁板５８と、この前路壁板５８の後方に１個のパチンコ球の通過が可能な間隙を隔てて垂立された後路壁板５９とが前後並行状に形成されている。
【００４０】
裏枠４０の下枠部には前端縁が前路壁板５８の前面に整合されて後端縁が後路壁板５９の後面に整合され、ベース枠９の前賞品球口２０の後側に隣設された後賞品球口５７が前賞品球口２０に突合わせ状に対向して開設されている。
【００４１】
裏枠４０の下枠部には前後路壁板５８，５９にそれぞれ連接されて前路壁板５８の横幅と等しい長さを有し、賞品球払い出しユニット４５に向って先下り状に傾斜して設置された第１の樋板６０と、前後路壁板５８，５９にそれぞれ連接されて第１の樋板６０の長さの約半分の長さを有し、第１の樋板６０の傾斜方向と逆方向へ先下り状に傾斜して設置された第２の樋板６１と、この第２の樋板６１の先端に一端が連接されて第２の樋板６１の下方に第１の樋板６１の傾斜方向と同方向へ先下り状に傾斜して設置された第３の樋板６２とが形成され、第１の樋板６０の先端部は賞品球払い出しユニット４５のケース体の下端に開口されたセーフ球検出口５６の前側に配設され、第２の樋板６１の先端部は第１の樋板６０の左右方向中央部の上方に配設されている。
【００４２】
裏枠４０の下枠部の前後壁板５８，５９間で第１の樋板６０上および第２の樋板６１上には遊技盤１２の裏面１２ｂのセーフ球流路３５から転落した全てのセーフ球を集めてセーフ球検出口５６へ誘導するセーフ球集合通路６３が形成されている。
【００４３】
セーフ球集合通路６３には遊技盤１２の裏面１２ｂの各部を伝って転落したセーフ球を受入れて集める集合部６３ａが第１の樋板６０上および第２の樋板６１上にわたって形成され、セーフ球集合通路６３の中央部には第１の樋板６０上の集合部６３ａへ転落したセーフ球と、第２の樋板６１上の集合部６３ａへ転落したセーフ球とが合流する合流部６３ｂが形成されている。
【００４４】
前後路壁板５８，５９間の下端部で賞品球払い出しユニット４５側の端部付近には基端部がセーフ球検出口５６の前側に配設されて先端部が前記遊技球集合ケース２９の上方に配設され、内方へ先下り状に傾斜した状態で前後路壁板５８，５９にそれぞれ連接された第４の樋板６５と、この第４の樋板６５の上方に設置されて前後路壁板５８，５９にそれぞれ連接された第５の樋板６６とが形成され、前後路壁板５８，５９間で第４の樋板６５上にはセーフ球検出口５６内から転がり出たセーフ球を遊技球集合ケース２９内へ誘導するセーフ球誘導通路６９が形成されている。
【００４５】
セーフ球検出口５６から放出されたセーフ球は第４の樋板６５上の基端部上へ転がり落ちてセーフ球誘導通路６９を通行し、第４の樋板６５の先端部から転落して遊技球集合ケース２９内へ落入し、パチンコ機外へ排出される。
【００４６】
前路壁板５８の裏面にはそれぞれ第１の樋板６０と並行な傾斜状態で第１の樋板６０に沿って延長されて第１の樋板６０の上方に並列され、第１の樋板６０上を転動するセーフ球を整然と直進通行させてセーフ球の流れを整流する機能と、第１の樋板６０上の集合部６３ａへ落入して前路壁板５８に衝突したセーフ球の落下衝撃を緩衝する機能とを有する複数個の突条６７が並行状に凸設されている。
【００４７】
前路壁板５８の裏面の下端部には第４の樋板６５と並行な傾斜状態で第４の樋板６５に沿って延長され、第４の樋板６５上を転動するセーフ球を整然と直進通行させてセーフ球の流れを整流する突条６８が凸設されている。
【００４８】
裏枠４０の後路壁板５９にはセーフ球集合通路６３の合流部６３ｂの上流で第１の樋板６０上の集合部６３ａでのセーフ球の流れ状態を裏枠４０の背後から透視する３個１組で２組の監視孔６４が開設されている。
【００４９】
後路壁板５９には第１の樋板６０上のセーフ球集合通路６３の合流部６３ｂ付近の路面６３ｃに沿って斜めに延長されて細長い長方形状に形成され、セーフ球集合通路６３の合流部６３ｂの上流および下流でのセーフ球の流れ状態を裏枠４０の背後から透視する１対のセーフ球監視窓８４が開設されている。
【００５０】
裏枠４０の後路壁板５９の後面には合成樹脂材によって一体に成形されて賞品球払い出しユニット４５の下部の内方に近接して設置され、遊技者に払い出される賞品球群が通行する賞品球誘導通路８０およびパチンコ機外に抜き取られる抜き球が通行する抜き球通路９０が内部に区画されて形成された球誘導用の成形器体７０が着脱可能に装着されている。
【００５１】
成形器体７０には後路壁板５９に取付けられたベル８９と、賞品球誘導通路８０と、抜き球通路９０とをカバーして賞品球群および抜き球群を成形器体７０内の下端部で前方へ誘導する前方開放の箱形状の通路壁７１が形成され、この通路壁７１の内壁面には賞品球群および抜き球群を別個に方向転換させて誘導しかつ賞品球誘導通路８０および抜き球通路９０を区画する通路樋７２と、通路壁７１に横長状に開設された内外１対の横長状の通し窓８７の開口縁に沿って形成された内外１対の窓枠片７３と、後路壁板５９の後面に連接されて後方へ突出された３つの取付け軸９２がそれぞれ挿入されてこの各取付け軸９２にねじ止められた３個のほぼ円筒状の位置決め結合片７４とが一体状に連接されている。
【００５２】
成形器体７０は、図４、図７、図９に示すように、各位置決め結合片７４が各取付け軸９２にそれぞれ挿入されて裏枠４０に対して位置決めされ、各位置決め結合片７４が各取付け軸９２にねじ止めされた状態で裏枠４０に結合されている。このような装着状態により成形器体７０は、例えば賞品球誘導通路８０が汚れた場合には、新たな同一の成形器体と交換して設置できるようになっている。
【００５３】
成形器体７０の通路壁７１には後路壁板５９の後方に直立状に設置された後壁板７１ａと、この後壁板７１ａの上端縁に連接されて内方へ先下り状に傾斜した上壁板７１ｂと、後壁板７１ａの下端縁に連接されて前下り状に傾斜した下壁板７１ｃと、後壁板７１ａの外側の側縁に連接されて直立した外壁板７１ｄと、後壁板７１ａの内側の側縁に連接されたほぼ円弧状に湾曲した内壁板７１ｅとが形成されている。
【００５４】
通路壁７１の外壁板７１ｄの上端には賞品球払い出しユニット４５のケース体４６内の球払い出し流路４６ａからその球出口４６ｂを通じて送り出された賞品球群を成形器体７０内へ導入する上球入口７６Ａが上球出口７８ａに隣接して開設され、外壁板７１ｄの下部にはケース体４６内の球抜き通路４６ｃからその下球出口４６ｄを通じて送り出された抜き球を成形器体７０内へ導入する下球入口７６Ｂが下球出口７９ａに隣接して開設されている。
【００５５】
成形器体７０の通路樋７２には基端縁が上球入口７１ｆの下縁に連接され、上部が内方へ先下り状に傾斜して下部が上部の約１／２の長さで先下り状に傾斜した状態で設置された第１の樋板７２ａと、上端縁が通路壁７１の上壁板７１ｂに連接された状態で第１の樋板７２ａの内端部の斜め上方および内方に円弧状に湾曲して設置された第２の樋板７２ｂと、基端縁が第３の樋板７２ｃの下端縁から下方へベル８９の一部が嵌め込まれた間隙９３を隔てた位置に配設され、内方へ先下り状に傾斜して第１の樋板７１ａの下部の下方に並行状に設置された第３の樋板７２ｃと、上端縁がこの第３の樋板７２ｃの先端縁に連接されて下端縁が内壁板７１ｅに連接され、上部がほぼ垂直状で中央部付近が内方へ先下り状に傾斜して下部が円弧状に湾曲した状態で設置された第４の樋板７２ｄと、上端縁が第４の樋板７２ｄの上部の外方に配設されて下端縁が下壁板７１ｃに連接され、上部が垂直状で中央部および下部がほぼＳ形状に湾曲した状態で設置された第５の樋板７２ｅと、内端縁が第５の樋板７２ｅの上端縁付近に連接されて外端縁が外壁板７１ｄに連接された状態で後賞品球口５７の下縁の後側に前下り状に傾斜して設置され、上面に複数個の突条が並行条に凸設された第６の樋板７２ｆと、上端縁が外壁板７１ｄおよび第６の樋板７２ｆの外端縁に連接された状態で円弧状に湾曲して設置された第７の樋板７２ｇと、外端縁が第７の樋板７２ａの下端縁に連接されて内端縁が第５の樋板７２ｅの上部に連接された状態で下壁板７１ｃの上方に内方へ先上り状に傾斜して設置された第８の樋板７２ｈとが形成されている。
【００５６】
成形器体７０の両窓枠片７３のうち、内側の窓枠片７３は通路樋７２の第４の樋板７２ｄの中央部付近に連接され、外側の窓枠片７３は第５の樋板７２ｅの上部および第７の樋板７２ｇの下部にそれぞれ連接され、成形器体７０は内側の窓枠片７３と第４の樋板７２ｄの一部とによって形成された筒形状の補強壁と、外側の窓枠片７３と第５の樋板７２ｅの一部と第８の樋板７２ｈと第７の樋板７２ｇの一部とによって形成された筒形状の補強壁とによって補強されている。
【００５７】
賞品球誘導通路８０の上部には通路壁７１の上壁板７１ｂと、外壁板７１ｄと、通路樋７２の第１の樋板７２ａと、第２の樋板７２ｂと、第３の樋板７２ｃと、第６の樋板７２ｆとによって仕切られた上誘導路８０ａが形成され、賞品球誘導通路８０の下部には通路樋７２の第４の樋板７２ｄと、第５の樋板７２ｅと、通路壁７１の下壁板７１ｃとによって仕切られた下誘導路８０ｂが形成されている。
【００５８】
抜き球通路９０は通路壁７１の内壁板７１ｅおよび下壁板７１ｃと、誘導樋７２の第７の樋板７２ｇおよび第８の樋板７２ｈと、第５の樋板７２ｅの一部とによって仕切られた状態で形成され、抜き球通路９０と賞品球誘導通路８０の下誘導路８０ｂとは第５の樋板７２ｅによって仕切られている。
【００５９】
賞品球誘導通路８０および抜き球通路９０はセーフ球集合通路６３の後側に後路壁板５９によって仕切られた状態で形成されている。
【００６０】
成形器体７０内には賞品球誘導通路８０の上誘導通路８０ａを通り抜けた賞品球群を第６の樋板７２ｆ上からその前方の後賞品球口５７内へ送り出す第１球出口７７Ａと、賞品球誘導路８０の下誘導路８０ｂを通り抜けた賞品球群を下壁板７１ｃ上からその前下方の球誘導室３２内へ送り出す第２球出口７７Ｂと、抜き球通路９０を通り抜けた抜き球をその前下方の遊技球排出通路３３内へ送り出す第３球出口７７Ｃとが形成されている。
【００６１】
成形器体７０の上球入口７６Ａに導入された賞品球は、図７、図９に示すように賞品球誘導通路８０の上誘導路８０ａを構成する通路樋７２の第１の樋板７２ａによって内方側の斜め下方へ誘導されてから、第２の樋板７２ｂで誘導され、ベル８９に衝突してＵターン状に方向転換し、第３の樋板７２ｃによって外方側の斜め下方へ誘導されて第６の樋板７２ｆ上へ転落し、さらに、第６の樋板７２ｆによって前方へ誘導されて賞品球誘導通路８０の第１球出口７７Ａと連通する後賞品球口５７内から前賞品球口２０内を通って上皿側へ放出される。
【００６２】
上記のように賞品球が第６の樋板７２ｆ上までに充満した以降において、第１球出口７７Ａの後面から溢れ出た賞品球は、賞品球誘導通路８０の下誘導路８０ｂを構成する第５の樋板７２ｅにより誘導されてから内方側の斜め下方へ方向転換されて第２球出口７７Ｂから球誘導ケース２６の球誘導室３２内へ放出され、最終的には下皿側へ排出される。
【００６３】
成形器体７０の下球入口７６Ｂに導入された抜き球は第７の樋板７２ｇおよび下壁板７１ｃによって下方へ誘導されてから内方側の斜め下方へ方向転換し、さらに下壁板７１ｃによって前方へ誘導され、抜き球通路９０および第３球出口７７Ｃを通り抜けて遊技球排出通路３０内へ放出される。
【００６４】
通路壁７１の後壁板７１ａには第１球出口７７Ａの後方に配設されて賞品球誘導通路８０の上誘導路８０ａの終端部および第１球出口７７Ａ付近を成形器体７０の後方から透視する３つの第１監視孔８１と、第２球出口７７Ｂの後方に配設されて賞品球誘導通路８０の下誘導路８０ｂの終端部および第２球出口７７Ｂ付近を成形器体７０の後方から透視する３つの第２監視孔８２と、第３球出口７７Ｃの後方に配設されて抜き球通路９０の終端部および第３球出口７７Ｃ付近を成形器体７０の後方から透視する３つの第３監視孔８３とが貫設されている。
【００６５】
続いて、上記した構成を有する実施例の作用と効果を説明する。本例では裏枠４０の後面下部には２つの球入口７６Ａ，７６Ｂと３つの球出口７７Ａ，７７Ｂ，７７Ｃとを有し、合成樹脂材で一体に成形されて賞品球誘導通路８０および抜き球通路９０が内部に区画されて形成された成形器体７０を着脱可能に装着し、この成形器体７０の通路壁７１によって両通路８０，９０をカバーし、成形器体７０の通路樋７２によって賞品球群および抜き球群を別個に方向転換させて誘導するように構成してある。
【００６６】
このため、賞品球群を受入れおよび誘導して特定位置へ放出する機構を単一の部材によって形成することができ、成形器体７０を裏枠４０に組付けるだけで、賞品球が通行する賞品球誘導通路８０を外部から遮断して所定のスペース内に正確に配置することができ、成形器体７０を裏枠４０に組付けることによって払い出し流路４６ａと後賞品球口５７および球誘導室３２とを的確に連通して賞品球の流れを円滑化し、かつ球抜き流路４６ｃと遊技球排出通路３０とを的確に連通して抜き球の流れを円滑化することができる。
【００６７】
また、成形器体７０を裏枠４０から取外すことができるので、賞品球誘導通路８０内にゴミ等のパチンコ球以外の異物が侵入したときにその異物を容易に除去することができ、賞品球誘導通路８０および抜き球通路９０の保守管理を簡易化することができるとともに、賞品球誘導通路８０が損傷しても、成形器体７０の交換によってその損傷を修復することができる。
【００６８】
さらに、成形器体９０を裏枠４０に組付けると、賞品球群および抜き球群をそれぞれ所定位置へ誘導する賞品球誘導通路８０および抜き球通路９０を区画して同時に形出することができ、賞品球群を誘導する部材と抜き球群を誘導する部材とを別個に取付ける手数を排除することができる。
【００６９】
また、賞品球群および抜き球群が成形器体７０内を多様に方向転換しながら通り抜けるので、賞品球群および抜き球群が成形器体７０に加える衝撃力を賞品球および抜き球が方向転換する毎に緩和することができ、成形器体７０が賞品球群および抜き球群によって受ける衝撃作用を軽減して成形器体７０を過大な衝撃作用から防護することができる。
【００７０】
また、成形器体７０に第１、第２、第３監視孔８１，８２，８３を貫設してあるので、賞品球誘導通路８０の上誘導路８０ａの終端部での賞品球の充満状態や、下誘導路８０ｂの終端部での球詰りの有無や、抜き球通路９０の終端部での球詰りの有無を裏枠４０の背後から一見して見分けることができる。
【００７１】
さらに、成形器体７０には窓枠片７３と誘導樋７２の一部とによって筒形状の補強壁を形成してあるので、球誘導器体７０の構造的強度を増強して成形器体７０の耐久性を向上させることができる。
【図面の簡単な説明】
【図１】本発明の１実施例を示すパチンコ機の裏面図である。
【図２】ベース枠の要部の正面図である。
【図３】ベース枠の要部の裏面図である。
【図４】裏枠の要部の裏面図である。
【図５】図４のＸ１−Ｘ１線拡大矢斜図である。
【図６】図５のＸ２−Ｘ２線縮小断面図である。
【図７】図６のＸ３−Ｘ３線拡大断面図である。
【図８】図６のＸ４−Ｘ４線拡大断面図である。
【図９】図５のＸ５−Ｘ５線断面図である。
【符号の説明】
１２  遊技盤
４０  裏枠
７０  成形器体
７１  通路壁
７２  通路樋
７６Ａ，７６Ｂ  球入口
７７Ａ，７７Ｂ，７７Ｃ  球出口
８０  賞品球誘導通路
９０  抜き球通路
【図１】
0004162054.tif 000002
【図２】
0004162054.tif 000003
【図３】
0004162054.tif 000004
【図４】
0004162054.tif 000005
【図５】
0004162054.tif 000006
【図６】
0004162054.tif 000007
【図７】
0004162054.tif 000008
【図８】
0004162054.tif 000009
【図９】
0004162054.tif 000010